(57)【特許請求の範囲】
【請求項１】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置であって、
前記切断状態において、前記検知手段によって前記電話機のオフフックが検知されると、前記回線から見たインピーダンスが前記電話機側よりも低い、前記網制御手段に含まれる第１の回線捕捉手段を用いて、該回線を捕捉する第１の捕捉制御手段と、
前記第１の回線捕捉手段によって前記回線が捕捉された後に、前記切替手段を前記接続状態に切り替えて前記電話機を該回線に接続する接続制御手段と、
を備えることを特徴とする通信装置。
【請求項２】
前記回線に接続され、前記検知手段を駆動するために前記回線の回線電流を前記検知手段へ供給する回線給電手段をさらに備え、
前記接続制御手段は、前記第１の回線捕捉手段によって前記回線が捕捉された後に、さらに、前記回線給電手段を前記回線から切り離すことを特徴とする請求項１に記載の通信装置。
【請求項３】
前記電話機が前記回線に接続された後に、前記第１の回線捕捉手段よりインピーダンスが高い、前記網制御手段に含まれる第２の回線捕捉手段に切り替えて、該回線を捕捉する第２の捕捉制御手段と、
前記第２の回線捕捉手段によって前記回線が捕捉された後に、前記第２の回線捕捉手段による該回線の捕捉状態を解放する回線解放手段と
を更に備えることを特徴とする請求項１または２に記載の通信装置。
【請求項４】
前記切断状態において、前記検知手段によって前記電話機のオフフックが検知される前に、前記回線を介して相手側装置からの着信があると、前記網制御手段と該相手側装置とが通信を行うために、インピーダンスが前記第１の回線捕捉手段より高く、かつ、前記第２の回線捕捉手段より低い、該網制御手段に含まれる第３の回線捕捉手段を用いて、該回線を捕捉する第３の捕捉制御手段をさらに備え、
前記第１の捕捉制御手段は、
前記切断状態において、前記検知手段によって前記電話機のオフフックが検知されると、前記第３の回線捕捉手段から前記第１の回線捕捉手段に切り替えて、前記回線を捕捉することを特徴とする請求項３に記載の通信装置。
【請求項５】
前記検知手段は、
前記切断状態において、前記電話機のオフフックを検知した後、前記回線解放手段によって前記第２の回線捕捉手段による前記回線の捕捉状態が解放されるまでの間、該電話機のオフフックの検知を抑制することを特徴とする請求項３または４に記載の通信装置。
【請求項６】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置であって、
前記切断状態において、前記検知手段によって前記電話機のオフフックが検知されると、前記網制御手段に含まれる回線捕捉手段における前記回線から見たインピーダンスを、前記電話機側よりも低い第１のインピーダンスに設定し、前記回線捕捉手段を用いて前記回線を捕捉する第１の捕捉制御手段と、
前記第１のインピーダンスの前記回線捕捉手段によって前記回線が捕捉された後に、前記切替手段を前記接続状態に切り替えて前記電話機を該回線に接続する接続制御手段と、
を備えることを特徴とする通信装置。
【請求項７】
前記電話機が前記回線に接続された後に、前記回線捕捉手段のインピーダンスを前記第１のインピーダンスより高い第２のインピーダンスに変更し、前記回線捕捉手段を用いて前記回線を捕捉する第２の捕捉制御手段と、
前記第２のインピーダンスの前記回線捕捉手段によって前記回線が捕捉された後に、前記回線捕捉手段による前記回線の捕捉状態を解放する回線解放手段と
を更に備えることを特徴とする請求項６に記載の通信装置。
【請求項８】
前記切断状態において、前記検知手段によって前記電話機のオフフックが検知される前に、前記回線を介して相手側装置からの着信があると、前記網制御手段と該相手側装置とが通信を行うために、前記回線捕捉手段のインピーダンスを、前記第１のインピーダンスより高く、かつ、前記第２のインピーダンスより低い第３のインピーダンスに設定し、前記回線捕捉手段を用いて前記回線を捕捉する第３の捕捉制御手段をさらに備え、
前記第１の捕捉制御手段は、
前記切断状態において、前記検知手段によって前記電話機のオフフックが検知されると、前記回線捕捉手段のインピーダンスを前記第３のインピーダンスから前記第１のインピーダンスに変更して、前記回線を捕捉することを特徴とする請求項７に記載の通信装置。
【請求項９】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置の制御方法であって、
第１の捕捉制御手段が、前記切断状態において、前記検知手段によって前記電話機のオフフックが検知されると、前記回線から見たインピーダンスが前記電話機側よりも低い、前記網制御手段に含まれる第１の回線捕捉手段を用いて、該回線を捕捉する第１の捕捉制御工程と、
接続制御手段が、前記第１の回線捕捉手段によって前記回線が捕捉された後に、前記切替手段を前記接続状態に切り替えて前記電話機を該回線に接続する接続制御工程と、
を備えることを特徴とする通信装置の制御方法。
【請求項１０】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置の制御方法であって、
第１の捕捉制御手段が、前記切断状態において、前記検知手段によって前記電話機のオフフックが検知されると、前記網制御手段に含まれる回線捕捉手段における前記回線から見たインピーダンスを、前記電話機側よりも低い第１のインピーダンスに設定し、前記回線捕捉手段を用いて前記回線を捕捉する第１の捕捉制御工程と、
接続制御手段が、前記第１のインピーダンスの前記回線捕捉手段によって前記回線が捕捉された後に、前記切替手段を前記接続状態に切り替えて前記電話機を該回線に接続する接続制御工程と、
を備えることを特徴とする通信装置の制御方法。
【請求項１１】
コンピュータを請求項１乃至８のいずれか１項に記載の通信装置の各手段として機能させるためのプログラム。
【発明の詳細な説明】
【技術分野】
【０００１】
本発明は、通信装置及びその制御方法、並びにプログラムに関するものである。
【背景技術】
【０００２】
従来より、ファクシミリ装置に代表されるような通信装置では、電話回線等の通信回線に対して、ファクシミリ通信用のファクシミリ通信部（モデム）だけでなく、通話用の電話機をも接続可能な通信装置が存在している。例えば、特許文献１では、データ通信を行うデータ通信部と通話を行う電話機とを切り替えて通信回線に接続可能なファクシミリ装置が開示されている。このファクシミリ装置では、データ通信部から電話機に切り替えて通信回線に接続する際に、データ通信部と電話機とを通信回線に並列接続することによって、電話機に回線電流を供給し、その切り替え接続前に当該電話機を通話可能な状態とすることができる。
【０００３】
このような従来のファクシミリ装置は、ＰＢＸに接続される場合もあるが、そのほとんどは公衆回線網（ＰＳＴＮ）に接続されるものである。ＰＳＴＮに接続されるファクシミリ装置やＰＳＴＮ側の交換機として導入される装置は、所定の技術基準に適合するように、厳しい管理が行われている。
【０００４】
一方で、近年では、ＤＳＬ回線や光回線等の広帯域な伝送路を有するＩＰネットワークを使用して音声データを送受信する、ＶｏＩＰ（ボイス・オーバ・インターネット・プロトコル）と称される技術が普及してきている。
【先行技術文献】
【特許文献】
【０００５】
【特許文献１】特開平０５−００７２７３号公報
【発明の概要】
【発明が解決しようとする課題】
【０００６】
上述のようなＰＳＴＮ用の通信装置（以下、ファクシミリ装置を例に説明する。）をＩＰネットワークに対して接続し、当該通信装置に接続された電話機でＶｏＩＰを使用して音声通信を行う場合には、以下のような問題がある。例えば、当該装置から出力される音声信号を、ＩＰネットワークに適合した形式の信号に変換するインタフェースとして機能するアダプタが必要となる。当該アダプタは、一般に、入力される音声信号をＩＰネットワークへ送信するだけでなく、入力されるダイヤルパルス信号を検知して、通信先を特定する。
【０００７】
ファクシミリ装置に接続されるアダプタは、ＰＳＴＮに接続されることはないため、ＰＳＴＮに接続するために必要とされる所定の技術基準を満たす必要はない。そのため、このようなアダプタでは、ＰＳＴＮ用の基準によれば正規のダイヤルパルス信号として検知され得ないレベルの、短い時間幅かつ微小な電流又は電圧の変化を、ダイヤルパルス信号として誤検知してしまう場合がある。
【０００８】
具体的には、通信装置において、装置内部のリレーの切り替えや外付けされた電話機のオフフック操作によって生じる非常に短い時間幅かつ微小な電流又は電圧の変化が、上述のようなアダプタでダイヤルパルス信号と誤検知されてしまう場合がある。その場合、電話機からのダイヤルパルス信号に基づいて、正しい宛先にダイヤルできないという問題が生じる。
【０００９】
本発明は、上述の問題に鑑みてなされたものであり、外付けの電話機を通信回線に接続する際に、通信回線に生じる電流及び電圧の急激な変化を抑制する仕組みを提供することを目的としている。
【課題を解決するための手段】
【００１０】
本発明は、例えば、通信装置として実現できる。通信装置は、外付けの電話機を接続するための接続部と、外付け電話機を回線へ接続した接続状態及び切断した切断状態を切り替える切替手段と、電話機のオフフックを検知する検知手段と、電話機と並列に回線に接続され、回線の捕捉状態を制御する網制御手段とを備える通信装置であって、切断状態において、検知手段によって電話機のオフフックが検知されると、回線から見たインピーダンスが電話機側よりも低い、網制御手段に含まれる第１の回線捕捉手段を用いて、回線を捕捉する第１の捕捉制御手段と、第１の回線捕捉手段によって回線が捕捉された後に、切替手段を接続状態に切り替えて電話機を回線に接続する接続制御手段と、を備えることを特徴とする。
【発明の効果】
【００１１】
本発明によれば、外付けの電話機を通信回線に接続する際に、当該通信回線に生じる電流及び電圧の急激な変化を抑制することができる。
【図面の簡単な説明】
【００１２】
【図１】本発明の実施形態に係るファクシミリ装置１００のブロック構成例を示す図である。
【図２】本発明の実施形態に係るファクシミリ装置１００の変形例に関するブロック構成を示す図である。
【図３】本発明の実施形態に係るファクシミリ装置１００の無鳴動着信モードによる動作の手順を示すフローチャートである。
【図４】本発明の実施形態に係るファクシミリ装置１００のＦ／Ｔモードによる動作の手順を示すフローチャートである。
【図５】本発明の実施形態に係るファクシミリ装置１００の無鳴動着信モードによる動作のタイミングを示すタイミングチャートである。
【図６】本発明の実施形態に係るファクシミリ装置１００のＦ／Ｔモードによる動作のタイミングを示すタイミングチャートである。
【図７】本発明の第３の変形例に係るファクシミリ装置７００のブロック構成例を示す図である。
【図８】本発明の第３の変形例に係るファクシミリ装置７００におけるＮＣＵ７０１のブロック構成例を示す図である。
【発明を実施するための形態】
【００１３】
以下に本発明の一実施形態を示す。以下で説明される実施形態は、本発明の上位概念、中位概念及び下位概念など種々の概念を理解するために役立つであろう。また、本発明の技術的範囲は、特許請求の範囲によって確定されるのであって、以下の実施形態によって限定されるわけではない。
【００１４】
＜ファクシミリ装置の全体構成＞
まず、図１を参照して、本発明の実施形態に係る通信装置（ここでは、ファクシミリ装置を例に説明する。）１００のブロック構成について説明する。システム・オン・チップ（ＳＯＣ）１０１は、ファクシミリ装置１００のシステム全体を制御する。ファクシミリ装置１００におけるＣＰＵ（図示せず）は、ＳＯＣ１０１上に実装されている。ＳＯＣ１０１に接続されたメモリ１４０は、主記憶装置であり、ＳＯＣ１０１のＣＰＵのシステムワークメモリ、並びに図３及び図４に示す処理を実行するための制御プログラムを格納するメモリとして機能する。また、メモリ１４０は、ファクシミリ送信又はファクシミリ受信等の際に、画像データや各種情報を一時的に記憶するためのメモリとしても機能する。
【００１５】
ＳＯＣ１０１には、操作パネル１１８、読取部１２１、記録部１２２、インタフェース（ＩＦ）部１２３が接続されている。操作パネル１１８は、表示器１１９及びキーボード類１２０を備え、これらはユーザ・インタフェースとして機能する。表示器１１９は、装置の状態やメニューに関する表示を行う。また、キーボード類１２０は、ユーザからの各種の指示の入力を受け付けるボタンやテンキー等のキーボードである。読取部１２１は、原稿から画像を読み取って、画像データを生成する。生成された画像データは、通信回線１３０を介して相手側装置に対してファクシミリ送信されてもよいし、記録部１２２に格納され、保存されてもよい。インタフェース（ＩＦ）部１２３は、各種の情報機器が外部から接続される場合のインタフェースとして機能する。
【００１６】
モデム１０２は、ＳＯＣ１０１に接続されており、ＳＯＣ１０１による制御に基づいて動作する変復調器である。モデム１０２は、ファクシミリ送信の対象となる、読取部１２１で読み取られた画像データを用いた変調処理と、通信回線１３０を介して受信した信号の復調処理を行う。モデム１０２は、絶縁素子１０３を介してＳＤＡＡ（シリコンＤＡＡ）１０４と接続されている。
【００１７】
ＳＤＡＡ１０４は、網制御手段の一例であって、半導体ＮＣＵ（ネットワーク制御ユニット）である。ＳＤＡＡ１０４は、通信回線１３０と接続されており、ファクシミリ装置１００と外部の公衆回線（通信回線）１３０とのインタフェースとして機能する網制御装置である。また、ＳＤＡＡ１０４は、通信回線１３０を介して相手側装置との間で通信を行う際に、回線の接続（捕捉）状態を制御する。通信回線１３０には、接続端子（接続部）１２９を介してファクシミリ装置１００に外付けされた電話機１２８も接続される。電話機１２８は、接続端子１２９、Ｈリレー１１０を介して通信回線１３０に接続されており、ＳＤＡＡ１０４は、電話機１２８と並列に通信回線１３０に接続されている。ＳＤＡＡ１０４は、ファクシミリ送受信を行う場合に、回線を捕捉してその通信を制御するだけでなく、電話機１２８が通信回線１３０を介して相手側装置との間で音声通信を行う場合にも、回線の捕捉状態を制御する。ＳＤＡＡ１０４は、これらの制御をＳＯＣ１０１の制御に基づいて実行する。
【００１８】
ＳＤＡＡ１０４は、回線捕捉部１（１０５）、回線捕捉部２（１０６）及び回線捕捉部３（１０７）の３つの回線捕捉部を備える。後述するように、ＳＤＡＡ１０４は、ＳＯＣ１０１の制御に基づいて、これらの回線捕捉部の何れかを選択し、それを使用して回線の捕捉状態を制御する。なお、回線捕捉部１〜３は、それぞれ第１の回線捕捉手段、第２の回線捕捉手段、及び第３の回線捕捉手段の一例である。これらの回線捕捉部は、それぞれ異なるインピーダンスのＤＣ特性を有する。回線捕捉部１は、通信回線１３０から見たインピーダンスが電話機１２８側よりも低く、例えば、２０ｍＡの電流に対して１５０Ω程度（低インピーダンス）のＤＣ特性を有する。一方で、回線捕捉部２は、回線捕捉部１よりもインピーダンスが高く、例えば、２０ｍＡの電流に対して６００Ω程度（高インピーダンス）のＤＣ特性を有する。これらの回線捕捉部１及び２は、電話機１２８を通信回線１３０に接続するために回線を捕捉する際に使用される。
【００１９】
また、回線捕捉部３は、ＳＤＡＡ１０４が通信回線１３０を介して相手側装置と通信を行うために使用される。このため、回線捕捉部３は、通信に使用する場合に適したインピーダンスを有し、回線捕捉部１より高く、かつ、第２の回線捕捉部より低いインピーダンスを有する。例えば、回線捕捉部３は、２０ｍＡの電流に対して３００Ω程度（中程度のインピーダンス）のＤＣ特性を有する。
【００２０】
ＣＩ（Call Indicator）検知回路１０８は、通信回線１３０に接続されており、通信回線から受信した呼び出し信号（以下では、「ＣＩ信号」と称する。）を検知する。ＣＩ検知回路１０８は、通信回線からのＣＩ信号を検知すると、そのことを示すＣＩ検知信号１０９をＳＯＣ１０１に対して送信する。ＳＯＣ１０１は、ＣＩ検知信号１０９に基づいて、通信回線からＣＩ信号の着信があったか否かを判断することができる。
【００２１】
Ｈリレー１１０は、フック検知回路１１７を介して接続される外付けの電話機１２８を、回線給電回路１１２又は通信回線１３０の何れかに接続するための回路である。Ｈリレー１１０は、切替手段の一例であって、外付けの電話機１２８を通信回線１３０へ接続した接続状態と、通信回線１３０から切断した切断状態との間の切り替えを行う。また、Ｈリレー１１０は、Ｈリレー駆動信号１１１を用いて、ＳＯＣ１０１によって制御される。なお、図１に示すようにＨリレー１１０が接続されている場合、ファクシミリ装置１００は、外付け電話機が鳴動着信する状態である。
【００２２】
回線給電回路１１２は、通信回線からの電流をフック検知回路１１７に対して供給する回路である。回線給電回路１１２は、通信回線１３０からの回線電流による給電によって、フック検知回路１１７に対して電流を供給する。また、回線給電回路１１２は、回線給電回路接続信号１１３を用いたＳＯＣ１０１の制御によって、通信回線１３０に対する接続又は分離をその内部で切り替える。
【００２３】
フック検知回路１１７は、検知手段の一例であり、電話機１２８と接続されており、電話機１２８のオフフック又はオンフックを検知する回路である。フック検知回路１１７は、電話機１２８のオフフック又はオンフックの検知結果を、フック検知信号１１４を用いてＳＯＣ１０１へ伝達する。ＳＯＣ１０１は、フック検知信号１１４に基づいて、電話機１２８におけるフックの状態を判定することができる。フック検知回路１１７は、Ｈリレー１１０によって、通信回線１３０に直接接続された場合、及び回線給電回路１１２を介して通信回線１３０に接続された場合の何れも、電話機１２８に流れる電流を検知する。これによって、電話機１２８におけるオフフック又はオンフックの状態を検知する。
【００２４】
擬似ＣＩ送出回路１１６は、擬似ＣＩ信号を電話機１２８に対して送出する回路である。疑似ＣＩ信号とは、通信回線１３０を介して相手側装置からのＣＩ着信があった場合に、回線から切断された状態にある電話機１２８を鳴動させるために、電話機１２８に対して送られる信号である。擬似ＣＩ送出回路１１６は、ＳＯＣ１０１からの擬似ＣＩ駆動信号１１５による送出指示に応じて、擬似ＣＩ信号を電話機１２８に対して送出する。
【００２５】
本実施形態において、ファクシミリ装置１００は、通信回線１３０を介してＶｏＩＰアダプタ１２４と接続されている。ＶｏＩＰアダプタ１２４は、３００〜３４００Ｈｚの音声帯域周波数のファクシミリ又は電話機の送信信号に対して、ＰＣＭ符号化等を施すとともに、ＳＩＰ等のプロトコルを用いてＩＰネットワークへ送信する。本実施形態では、ＶｏＩＰアダプタ１２４からの出力信号は、一例として、ブロードバンドルータ１２５及び回線終端装置１２６を介して、光回線網１２７のＩＰネットワークに対して送信される。一方で、ＶｏＩＰアダプタ１２４は、光回線網１２７から受信した信号を、３００〜３４００Ｈｚの音声帯域周波数のファクシミリ又は電話機の信号に変換する。さらに、当該信号を通信回線１３０を介してファクシミリ装置１００へ送信する。また、ＶｏＩＰアダプタ１２４は、入力された信号からダイヤルパルスを認識し、又はファクシミリ装置１００に外付けされた電話機１２８におけるフッキング等を認識する機能を有する。
【００２６】
上述の構成を有するファクシミリ装置１００は、各種の動作モードを有するが、本実施形態では、無鳴動着信モード、及びＦ／Ｔモード（ＦＡＸ／ＴＥＬ切替モード）について説明する。何れの動作モードにおいても、後述するように、電話機１２８はＨリレー１１０によって予め回線から切断された切断状態にある。ここで、無鳴動着信モードは、ＣＩ信号の着信がＣＩ検知回路１０８で検知された際に、ＣＩ信号によって外付け電話機１２８が鳴動することなくファクシミリ受信を可能にした動作モードである。また、Ｆ／Ｔモードは、ＣＩ信号の着信がＣＩ検知回路１０８で検知された際に、発信先が電話であるかファクシミリであるかをＳＯＣ１０１で判定する動作モードである。当該モードにおいてＳＯＣ１０１は、発信先が電話である場合には電話機１２８を鳴動させ、ファクシミリである場合にはファクシミリ受信を行う制御を実行する。
【００２７】
ファクシミリ装置１００は、無鳴動着信モードにおいて、電話機１２８のオフフックを検知すると、通信回線１３０に対して切断状態にある電話機１２８を、通信回線１３０に接続する機能を有する。これにより、ユーザに対して電話機１２８を用いた通話機能を提供する。ところが、回線給電回路１１２を通信回線１３０から切り離す際、及びＨリレー１１０を切り替える際に、通信回線１３０から見たインピーダンスが不安定になる。その際、当該インピーダンスが、低インピーダンスとなった後に、高インピーダンスへ短時間のうちに変化すると、それによって通信回線１３０に生じる電流及び電圧の変化を、通信回線１３０に接続されたＶｏＩＰアダプタ１２４がダイヤルパルスと誤認識するおそれがある。例えば、当該インピーダンスが、低インピーダンスとなって回線が捕捉された後に、高インピーダンスへ変化し、再び低インピーダンスへ戻ると、ＶｏＩＰアダプタ１２４はこれをダイヤルパルス“１”と誤認識してしまう。その場合、ＳＤＡＡ１０４による回線捕捉の後に、ユーザがダイヤルパルス信号を電話機１２８から入力すると、先頭に“１”が付加されたダイヤルパルス信号としてＶｏＩＰアダプタ１２４に認識され、誤った電話番号へ回線が接続されることになる。
【００２８】
そこで、本実施形態に係るファクシミリ装置１００は、この問題に対処するために、外付けの電話機を通信回線に接続する際に、当該通信回線に生じる電流及び電圧の急激な変化を抑制するための動作を実行する。具体的には、ＳＤＡＡ１０４は、回線給電回路１１２を通信回線１３０から切り離す際、及びＨリレー１１０を切り替える際に、通信回線１３０から見て電話機１２８側よりも低インピーダンスのＤＣ特性を有する回線捕捉部１を用いて、回線捕捉を行う。これにより、通信回線１３０から見たインピーダンスが高インピーダンスとなることを防止する。その後、Ｈリレー１１０で電話機１２８を通信回線１３０に接続するとともに、ＳＤＡＡ１０４による回線の捕捉状態を解放し、回線電流を全て電話機１２８側へ流すことによって、電話機１２８を回線に接続する。
【００２９】
また、ファクシミリ装置１００に外付けで接続される電話機１２８によっては、通信回線１３０に接続されて回線電流が電話機１２８に流れ込む際に、インピーダンスが不安定となる可能性がある。その際、当該インピーダンスが上述のように一時的に変化すると、それによって生じる電流及び電圧の変化を、ＶｏＩＰアダプタ１２４が誤認識するおそれがある。
【００３０】
そこで、本実施形態に係るファクシミリ装置１００は、回線捕捉部１を用いて回線を捕捉しているＳＤＡＡ１０４において、直ちに回線を解放するのではなく、回線捕捉部１よりもインピーダンスが高い回線捕捉部２に回線捕捉状態を一時的に切り替える。ファクシミリ装置１００は、その後に回線を解放することによって、電話機１２８へ流れ込む電流量が徐々に増加するように制御する。その結果、電話機１２８側のインピーダンスが不安定となることを防止できるとともに、ファクシミリ装置１００に接続されるＶｏＩＰアダプタ１２４においてダイヤルパルスの誤認識を防止することができる。
【００３１】
＜無鳴動着信モードにおける動作＞
以下では、図３を参照して、無鳴動着信モードで動作中のファクシミリ装置１００における、外付けの電話機１２８がオフフック状態となった場合の動作手順について説明する。図３のフローチャートは、ＳＯＣ１０１のＣＰＵがメモリ１４０内のプログラムを実行することによって実現される。また、それと併せて、図５を参照して、各動作のタイミングについても説明する。なお、図５では、フック検知信号１１４の状態５０１、ＳＤＡＡ１０４の状態５０２、Ｈリレー１１０の状態５０３、及び回線給電回路１１２の状態５０４を示している。
【００３２】
ファクシミリ装置１００が無鳴動着信モードへ移行すると、Ｓ３０１で、ＳＯＣ１０１は、Ｈリレー駆動信号１１１を用いて、Ｈリレー１１０を回線給電回路１１２側へ接続する。それとともに、Ｓ３０２で、ＳＯＣ１０１は、回線給電回路接続信号１１３を用いて、回線給電回路１１２を通信回線１３０へ接続する。これにより、フック検知回路１１７に対して、通信回線１３０からの回線電流が供給される。
【００３３】
当該無鳴動着信モードのファクシミリ装置１００において、ＳＯＣ１０１は、Ｓ３０３で、フック検知回路１１７によって電話機１２８のオフフックが検知されたか否かを判定する。ここで、フック検知回路１１７は、電話機１２８のオフフックを検知すると（５１１）、ＳＯＣ１０１にフック検知信号１１４を送信することによって、オフフックを検知したことを伝える。従って、ＳＯＣ１０１は、フック検知信号１１４に基づいて、電話機１２８のオフフックが検知されていないと判定した場合には、Ｓ３０３の判定処理を繰り返す。一方で、ＳＯＣ１０１は、電話機１２８のオフフックが検知されたと判定した場合には、処理をＳ３０４へ移行する。Ｓ３０４で、ＳＯＣ１０１は、フック検知回路１１７における電話機１２８のオフフックの検知を一時的に中断する。その後、処理をＳ３０５へ移行する。なお、フック検知回路１１７におけるオフフックの検知を抑制する処理は、以下のＳ３１１においてＳＤＡＡ１０４（回線捕捉部２）による回線の捕捉状態が解放されるまでの間、行われる。これは、ＳＤＡＡ１０４の回線捕捉状態に応じてフック検知回路１１７への電流が変化するので、当該電流の変化によってフック検知回路１１７でフックを誤検知することを防止するために行われる。
【００３４】
Ｓ３０５で、ＳＯＣ１０１（第１の捕捉制御手段）は、ＳＤＡＡ１０４を制御することによって、複数の回線捕捉部１〜３のうちで、通信回線１３０から見たインピーダンスが、電話機１２８と比較して十分に低いＤＣ特性を有する回線捕捉部１を使用して、回線の捕捉を行う（５１２）。回線捕捉の開始後、ＳＯＣ１０１は、Ｓ３０６で、回線捕捉部１による回線捕捉状態が安定したか否かを判定する。ここで、ＳＯＣ１０１は、ＳＤＡＡ１０４から提供される、回線捕捉部１のＤＣ特性に関する情報を用いて、当該判定処理を実行する。あるいは、ＳＯＣ１０１は、タイマによる計時に基づいて、一定時間経過した場合に、回線捕捉状態が安定したものとみなして当該判定処理を実行してもよい。Ｓ３０６で、ＳＯＣ１０１は、回線捕捉部１による回線捕捉状態が安定していないと判定した場合には、当該判定処理を繰り返す。一方で、回線捕捉状態が安定したと判定した場合には、Ｓ３０７へ移行する。
【００３５】
回線捕捉部１による回線捕捉状態が安定した後、Ｓ３０７で、ＳＯＣ１０１は、回線給電回路接続信号１１３を用いて、回線給電回路１１２の通信回線１３０に対する接続を切り離す（５１３）。さらに、Ｓ３０８で、ＳＯＣ１０１（接続制御手段）は、Ｈリレー駆動信号１１１を用いて、Ｈリレー１１０を回線側へ接続する（５１３）。これにより、通信回線１３０からの回線電流が電話機１２８に向かって流れ始める。しかしながら、上述のとおり、電話機１２８よりも回線捕捉部１のインピーダンスを低く設定しているため、回線電流の大部分は、Ｈリレー１１０側（電話機１２８側）ではなく回線捕捉部１側に流れる。このため、Ｈリレー１１０側へ流れる電流量は非常に少ないため、Ｈリレー１１０の切り替えに伴う、電話機１２８側に流れる電流の急激な変化を抑制することができる。
【００３６】
次に、Ｓ３０９で、ＳＯＣ１０１（第２の捕捉制御手段）は、ＳＤＡＡ１０４を制御することによって、複数の回線捕捉部１〜３のうちで、回線捕捉部１よりもインピーダンスの高いＤＣ特性を有する回線捕捉部２に切り替えて回線捕捉を開始する（５１４）。当該処理によって、通信回線１３０から見たＳＤＡＡ１０４のインピーダンスが高くなるため、Ｈリレー１１０を介して電話機１２８へ流れる電流量が、回線捕捉部１を用いた場合よりも増加する。さらに、Ｓ３１０で、ＳＯＣ１０１は、回線捕捉部２による回線捕捉状態が安定したか否かを判定する。当該処理は、Ｓ３０６と同様の処理によって実現し得る。ここで、回線捕捉状態が安定していないと判定した場合には、Ｓ３１０の判定処理を繰り返す。一方で、回線捕捉状態が安定したと判定した場合には、Ｓ３１１へ移行する。
【００３７】
回線捕捉部２による回線捕捉状態が安定した後、Ｓ３１１で、ＳＯＣ１０１（回線解放手段）は、ＳＤＡＡ１０４を制御することによって、ＳＤＡＡ１０４による回線捕捉を終了し、回線捕捉状態を解放する（５１５）。その結果、通信回線１３０からの回線電流が、全て電話機１２８へ流れ込むことになり、電話機１２８に流れる電流量はさらに増加する。以上の処理によって、ＳＤＡＡ１０４における回線捕捉状態を解放することで電話機１２８への電流量が急激に増加することを防止できる。その後、ＳＯＣ１０１は、中断していた電話機１２８のオフフックの検知を再開する。
【００３８】
＜Ｆ／Ｔモードにおける動作＞
次に、図４を参照して、Ｆ／Ｔモードで動作中のファクシミリ装置１００における、通信回線１３０から呼び出し信号（ＣＩ信号）を着信した場合の動作手順について説明する。図４のフローチャートは、ＳＯＣ１０１のＣＰＵがメモリ１４０内のプログラムを実行することによって実現される。また、それと併せて、図６を参照して、各動作のタイミングについても説明する。なお、図６では、呼出（ＣＩ）信号の状態６０１、ＳＤＡＡ１０４の状態６０２、擬似ＣＩ信号の状態６０３、フック検知信号１１４の状態６０４、Ｈリレー１１０の状態６０５、及び回線給電回路１１２の状態６０６を示している。ここで、図３における無鳴動着信モードとの相違点は、ＣＩ信号の着信の後に、電話機１２８におけるオフフックを検知する前に相手側装置と通信を行うために、回線捕捉部３を用いて回線を捕捉する点である。
【００３９】
ファクシミリ装置１００がＦ／Ｔモードへ移行すると、図３のＳ３０１及びＳ３０２と同様、Ｓ４０１及びＳ４０２で、ＳＯＣ１０１は、Ｈリレー１１０を回線給電回路１１２側へ接続するとともに、回線給電回路１１２を通信回線１３０へ接続する。
【００４０】
Ｆ／Ｔモードのファクシミリ装置１００において、Ｓ４０３で、ＳＯＣ１０１は、通信回線１３０からＣＩ信号の着信があるか否かを判定する。ここで、ＣＩ信号の着信ないと判定した場合、当該判定処理を繰り返す。一方で、ＣＩ信号の着信があると判定した場合、Ｓ４０４へ移行する。Ｓ４０４で、ＳＯＣ１０１（第３の捕捉制御手段）は、ＳＤＡＡ１０４を制御することによって、複数の回線捕捉部１〜３のうちで、回線捕捉部３を使用して回線の捕捉を行う（６１１）。回線の捕捉後、Ｓ４０５で、ＳＯＣ１０１は、擬似ＣＩ駆動信号１１５を用いて、擬似ＣＩ送出回路１１６から電話機１２８に対して擬似ＣＩ信号を送信する（６１２〜６１３）。ＳＯＣ１０１は、当該信号によって、電話機１２８を鳴動させ、ユーザに対して着信を知らせる。さらに、Ｓ４０６で、ＳＯＣ１０１は、音声メッセージを通信回線１３０へ送出する。これにより、例えば、ユーザを呼び出し中であることを知らせる音声メッセージを、ＣＩ信号を送出した相手側装置に対して伝達できる。その後、Ｓ４０７へ移行する。
【００４１】
Ｓ４０７で、ＳＯＣ１０１は、フック検知回路１１７によって電話機１２８のオフフックが検知されたか否かを判定する。当該判定処理は、Ｓ３０３と同様の処理により実行され得る。ここで、電話機１２８のオフフックが検知されていないと判定した場合には、Ｓ４０７の判定処理を繰り返す。一方で、電話機１２８のオフフックが検知されたと判定した場合（６１４）には、Ｓ４０８へ移行する。Ｓ４０８で、Ｓ３０４と同様に、フック検知回路１１７における電話機１２８のオフフックの検知を一時的に中断する（６１５）。その後、Ｓ４０９へ移行する。
【００４２】
次に、フッキングの後に入力されるダイヤルパルス又はＤＴＭＦ信号をＶｏＩＰアダプタ１２４が誤認識することを防止するために、図３の処理と同様に、回線捕捉部１及び２による回線捕捉に基づいて、電話機１２８に対する回線の接続を行う。Ｓ４０９で、ＳＯＣ１０１は、ＳＤＡＡ１０４を制御することによって、回線捕捉部３よりもインピーダンスの低いＤＣ特性を有する回線捕捉部１に切り替えて回線の捕捉を行う。その後のＳ４１０〜Ｓ４１７の処理は、Ｓ３０６〜Ｓ３１３の処理と同様であるので説明を省略する。
【００４３】
以上説明したように、本実施形態に係る通信装置は、Ｈリレーによって通信回線から切断された外付けの電話機を通信回線に接続する場合に、当該電話機と並列に通信回線に接続されるＳＤＡＡ１０４を使用して、回線を捕捉する。具体的には、ＳＤＡＡ１０４は、インピーダンスの異なる複数の回線捕捉部を含み、その何れかを使用して回線を捕捉する。まず、電話機のオフフックが検知されると、ＳＯＣは、電話機側よりもインピーダンスの低い回線捕捉部１を使用して回線を捕捉した後に、Ｈリレーを切り替えて、電話機を通信回線に接続する。また、ファクシミリ装置が、回線に接続された回線給電回路を備える場合には、当該回路についても通信回線から切り離す。これにより、回線給電回路を通信回線から切り離す際、及びＨリレーを切り替える際に、通信回線から見たインピーダンスが高インピーダンスとなることを防止できるため、通信回線における電流及び電圧の変化を抑制することができる。
【００４４】
さらに、本実施形態に係る通信装置は、Ｈリレーの切り替え後に、回線を解放する前に、回線捕捉部１よりもインピーダンスの高い回線捕捉部２に回線捕捉状態を一時的に切り替える。これにより、直ちに回線を解放する場合よりも、電話機に流れ込む電流の量を徐々に増加させることができるため、通信回線から見たインピーダンスの不安定な変化を抑制し、通信回線における電流及び電圧の変化を抑制することができる。以上の処理により、本実施形態に係る通信装置は、自装置に接続されるアダプタにおいてダイヤルパルスの誤認識が生じることを防止することができる。
【００４５】
また、本実施形態に係る通信装置は、通信回線を介して相手側装置から着信があった場合に、当該相手側装置と通信を行うために、回線捕捉部１より高く、かつ、回線捕捉部２よりも低いインピーダンスを有する回線捕捉部３を使用して回線捕捉を行う。その後、電話機においてオフフックが検知されると、上述のように、回線捕捉部１及び２を用いた処理を実行する。これにより、電話機において、フッキングの後に入力されるダイヤルパルス又はＤＴＭＦ信号を、通信装置に接続されるアダプタが誤認識することを防止することも可能となる。
【００４６】
＜第１の変形例＞
本発明は、上述の実施形態に限定されることなく種々の変更が可能であり、以下で例示する何れの変形例においても上述の実施形態と同等の効果を得ることができよう。図２は、上述の実施形態に係るファクシミリ装置１００に関する第１の変形例である。図１と図２のファクシミリ装置１００の相違点は、回線給電回路１１２の有無である。このように、ファクシミリ装置１００が回線給電回路１１２を備えていない場合、ＤＣ電源１３１を用いて電話機１２８のフック検知を行えばよい。なお、擬似ＣＩ送出回路１１６にＤＣ出力機能を設けるとともに、当該回路からフック検知回路１１７に対して電流を供給してもよい。
【００４７】
また、ファクシミリ装置１００が図２に示す構成である場合、図３に示した動作手順は、Ｓ３０２及びＳ３０７を除いたものとなり、図４に示した動作手順は、Ｓ４０２及びＳ４１１を除いたものとなる。さらに、その場合に、図３及び図４に対応する図５及び図６のタイミングチャートは、回線給電回路１１２の状態５０４、６０６をそれぞれ除いたものに相当する。
【００４８】
＜第２の変形例＞
図１及び図２のファクシミリ装置１００に関する実施形態では、ＳＤＡＡ１０４が、インピーダンスの異なる複数の回線捕捉部１０５〜１０７（回線捕捉部１〜３）を含む場合について説明した。この実施形態では、ファクシミリ装置１００に外付けされた電話機１２８を通信回線１３０に接続する過程で、ＳＤＡＡ１０４が、ＳＯＣ１０１の制御に基づいてこれらの回線捕捉部の何れかを選択して使用することによって回線捕捉状態を変化させている。
【００４９】
しかしながら、本発明は、ＳＤＡＡ１０４が、異なる複数の回線捕捉部を含む場合に限定されることはなく、インピーダンス可変の回線捕捉部を含んでいてもよい。即ち、第２の変形例に係るファクシミリ装置１００は、回線捕捉部１〜３の代わりに、異なるインピーダンスのＤＣ特性を実現可能な単一の回線捕捉部を含む。この場合、ＳＤＡＡ１０４は、ＳＯＣ１０１からのインピーダンス変更指示に応じて、回線捕捉部のインピーダンスを時間的に変更して、回線の捕捉状態を制御する。
【００５０】
本変形例において、ＳＤＡＡ１０４に含まれる回線捕捉部は、少なくとも、上述の実施形態における回線捕捉部１〜３が有するインピーダンスに対応する、異なる３つのインピーダンスに設定され得る。本変形例の回線捕捉部は、回線捕捉部１及び２に対応するインピーダンスとして、第１及び第２のインピーダンスに設定され得る。本変形例の回線捕捉部は、回線捕捉部１及び２が用いられる、電話機１２８を通信回線１３０に接続するために回線を捕捉する状況において、それぞれ第１及び第２のインピーダンスに設定される。上述の実施形態と同様、第１のインピーダンスは、通信回線１３０から見た場合に、電話機１２８側よりも低く、例えば、２０ｍＡの電流に対して１５０Ω程度の低インピーダンスである。また、第２のインピーダンスは、第１のインピーダンスより高く、例えば、２０ｍＡの電流に対して６００Ω程度の高インピーダンスである。
【００５１】
また、本変形例の回線捕捉部は、上述の実施形態の回線捕捉部３に対応するインピーダンスとして、第３のインピーダンスに設定され得る。本変形例の回線捕捉部は、回線捕捉部３が用いられる、ＳＤＡＡ１０４が通信回線１３０を介して相手側装置と通信を行う状況において、第３のインピーダンスに設定される。上述の実施形態と同様、第３のインピーダンスは、第１のインピーダンスより高く、かつ、第２のインピーダンスより低いインピーダンスである。第３のインピーダンスは、例えば、２０ｍＡの電流に対して３００Ω程度の、通信用に適した中程度のインピーダンスである。
【００５２】
本変形例に係るファクシミリ装置１００において、無鳴動着信モードで動作中に外付けの電話機１２８がオフフック状態となった場合の動作手順は、基本的に図３と同様である。また、Ｆ／Ｔで動作中に通信回線１３０からＣＩ信号を着信した場合の動作手順は、基本的に図４と同様である。本変形例において、図３及び図４に示す回線捕捉部１〜３による回線捕捉は、ＳＤＡＡ１０４に含まれる単一の回線捕捉部によって実行すればよい。その場合に、回線捕捉部１〜３のそれぞれによる回線捕捉について、ＳＯＣ１０１からの指示に応じて、ＳＤＡＡ１０４が単一の回線捕捉部のインピーダンスを第１〜第３のインピーダンスに設定又は変更して実行すればよい。
【００５３】
また、本変形例では、図３及び図４を用いて説明した実施形態と同様、ＳＯＣ１０１による制御に基づいて、ＳＤＡＡ１０４に含まれる回線捕捉部のインピーダンスを設定又は変更する場合について説明してきた。本発明は、ＳＤＡＡ１０４が、このようにＳＯＣ１０１による制御下で回線捕捉部を使用する場合以外に、ＳＯＣ１０１による制御によらず、ＳＤＡＡ１０４が自ら回線捕捉部のインピーダンスを設定又は変更する場合にも実現されよう。その場合、ＳＯＣ１０１による制御を簡略化することが可能であろう。なお、本変形例は、上述の第１の変形例と組み合わせることも可能である。
【００５４】
＜第３の変形例＞
これまでの実施形態及び変形例では、図１及び図２に示すように、ファクシミリ装置１００が、通信回線１３０に対する回線接続状態を制御する網制御装置（ＮＣＵ）として、シリコンＤＡＡ（ＳＤＡＡ１０４）を備える場合について説明してきた。しかしながら、本発明は、ファクシミリ装置１００がＳＤＡＡ１０４を網制御装置として備える場合に限定されず、第３の変形例として以下で説明するように、ＳＤＡＡ１０４を用いないＮＣＵを備えるファクシミリ装置としても実現できる。
【００５５】
図７は、本発明の第３の変形例に係るファクシミリ装置７００の構成を示す図である。図１及び図２に示すファクシミリ装置１００と比較すると、ファクシミリ装置７００は、ＳＤＡＡ１０４を備える代わりに、ＮＣＵ７０１を備える。また、ファクシミリ装置１００が備えるＣＩ検知回路１０８、Ｈリレー１１０、フック検知回路１１７等に相当する回路は、ＮＣＵ７０１内部に組み込まれている。ＮＣＵ７０１は、モデム１０２に接続されるとともに、通信回線１３０が接続される接続端子７０２、及び外付けの電話機１２８が接続される接続端子７０３に対して接続される。接続端子７０２と接続端子７０３とは、Ｌ１及びＬ２端子と、Ｔ１及びＴ２端子とをそれぞれモジュラコネクタとして有する。ＮＣＵ７０１は、１つ以上の信号線を含む信号線７０４を介して、ＳＯＣ１０１との間で、制御信号を送受信するとともに種々の情報及び通知を送受信する。
【００５６】
図８は、図７のＮＣＵ７０１内部の構成の一例を示す図である。ＮＣＵ７０１において、電流検出部８０２は、接続端子７０２を介して通信回線１３０に接続されている。電流検出部８０２は、通信回線１３０側から接続端子７０２及び７０３を介して電話機１２８側へ流れる電流を検出することによって、電話機１２８のオフフックを検出する。電流検出部８０２は、当該オフフックを検出すると、そのことを示すＨＯＯＫ２信号をＳＯＣ１０１送信する。また、電流検出部８０２で検知された電流は、アナログ出力フィルタ８０３によってフィルタリングされて、ＡＮＬＧＩＮ１信号としてＳＯＣ１０１へ送信される。電流検出部８０２には、Ｐリレー８０４及び回線捕捉部８０５、及びダイオードブリッジ８０６が接続されている。なお、Ｐリレー８０４は、ダイヤルパルスを生成する回路であり、ダイオードブリッジ８０６は、通信回線１３０上の信号を整流するためのブリッジ回路である。
【００５７】
ＣＭＬリレー８０７は、電話機１２８側及びモデム１０２側の何れかを通信回線１３０に接続するためのリレー回路である。ＣＭＬリレー８０７で、通信回線１３０にモデム１０２側が接続された場合、通信回線１３０からの信号は、ＣＭＬリレー８０７から課金フィルタ８０８へ送られる。課金フィルタ８０８は、通信回線１３０から送られてくる課金パルスをフィルタリングするためのフィルタである。課金フィルタ８０８には、半導体ＲＥＴ回路８０９が接続されている。半導体ＲＥＴ回路８０９は、直流の回線捕捉を行うための回路であり、ＤＣＬＩＭ信号を用いたＳＯＣ１０１による制御に応じて動作する。課金フィルタ８０８はまた、絶縁トランス８１０に接続されている。絶縁トランス８１０は、通信回線側とモデム側との間で絶縁を取るためのトランスである。絶縁トランス８１０には、複素‐６００Ω切替回路８１１が接続されている。複素‐６００Ω切替回路８１１は、ＳＯＣ１０１から受信したＩＰＳＥＬ信号に応じて、交流インピーダンスを６００Ω終端又は複素終端の何れかに設定するための回路であり、２線‐４線変換回路８１２に接続されている。
【００５８】
モデム１０２から通信回線１３０へ送信されるファクシミリ送信信号Ｔｘは、通信回線１３０側の２線をモデム側の４線に変換する２線‐４線変換回路８１２へ入力される。一方で、通信回線１３０からモデム１０２へのファクシミリ受信信号Ｒｘは、２線‐４線変換回路８１２からＲＸフィルタ８１３を介してモデム１０２へ出力される。ここで、ＲＸフィルタは、受信したファクシミリ信号において、音声帯域３００〜３４００Ｈｚの音声帯域周波数の以外の周波数を除去するフィルタである。
【００５９】
盗み聞きトランス８１４は、ＣＭＬリレー８０７において通信回線１３０が電話機側に接続されている場合に、通信回線１３０を介して接続された相手側装置から送信されるファクシミリ信号を検知する。盗み聞きトランス８１４は、ファクシミリ信号を検知すると、そのことを示すＡＮＬＧＩＮ２信号をＳＯＣ１０１へ送信する。
【００６０】
回線捕捉部８０５は、図１及び図２のＳＤＡＡ１０４に含まれる回線捕捉部に対応する。ここで、回線捕捉部は、図１及び図２に示すように、異なるインピーダンスを有する複数の回線捕捉部１〜３を含んでいてもよいし、第２の変形例のように、第１〜第３のインピーダンスの間でインピーダンスを変更可能な単一の回線捕捉部であってもよい。回線捕捉部８０５は、ＳＯＣ１０１から送信される制御信号であるＤＣＬＩＭ２信号に基づいて、回線の捕捉状態を制御する。
【００６１】
ＣＩ検知回路８１９は、図１及び図２のＣＩ検知回路１０８に対応し、通信回線から受信したＣＩ信号を検知する。ＣＩ検知回路８１９は、ＣＩ検知信号ＣＩ１及びＣＩ２を用いて、当該検知の有無をＳＯＣ１０１に伝達する。なお、ＣＩインピーダンス切替回路８２０は、ＳＯＣ１０１から受信した制御信号ＣＩＩに応じて、ＣＩ着信中のインピーダンスを切り替える切替回路である。
【００６２】
フック検知回路８１５及び８１７は、図１及び図２のフック検知回路１１７に対応し、電話機１２８が通信回線１３０に接続されている場合に、電話機１２８のオフフックを検知する検知回路である。フック検知回路８１５、８１７は、当該オフフックの有無をＨＯＯＫ２信号及びＨＯＯＫ１信号をそれぞれ用いてＳＯＣ１０１へ伝達する。
【００６３】
Ｈリレー８１６は、図１及び図２のＨリレー１１０に対応し、接続端子７０３を介してファクシミリ装置７００に外付けされる電話機１２８の、通信回線１３０に対する接続状態及び切断状態を切り替えるためのリレー回路である。なお、Ｈ検知リレー８１８は、ダイオードブリッジ８０６からの電流を、フック検知回路８１７に供給する回路である。
【００６４】
その他に、図８には図示していないが、ファクシミリ装置７００は、フック検知回路８１５及び８１７を駆動するための回線給電回路を備えていてもよい。あるいは、ＤＣ電源を用いてそれらを駆動してもよい。また、図８には図示していないが、ファクシミリ装置７００は、ファクシミリ装置１００と同様、擬似ＣＩ送出回路を備える。
【００６５】
ファクシミリ装置７００において、無鳴動着信モードで動作中に外付けの電話機１２８がオフフック状態となった場合の動作手順、及び、Ｆ／Ｔで動作中に通信回線１３０からＣＩ信号を着信した場合の動作手順は、図３及び図４と同様である。なお、ファクシミリ装置７００の回線捕捉部８０５が、３つの回線捕捉部１〜３ではなく、単一の回線捕捉部から成る場合には、上述の第２の変形例の場合と同様の動作手順となる。このように、本発明は、ＳＤＡＡ１０４を用いないＮＣＵ７０１を備えるファクシミリ装置７００としても実現できる。
【００６６】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005480720.tif 000002
【図２】
0005480720.tif 000003
【図３】
0005480720.tif 000004
【図４】
0005480720.tif 000005
【図５】
0005480720.tif 000006
【図６】
0005480720.tif 000007
【図７】
0005480720.tif 000008
【図８】
0005480720.tif 000009